(57)【要約】　　　（修正有）【課題】排出紙が反転したり、順番が逆になったり、排出紙が散乱することがなく、且つ大量の排出紙を収容できて、しかも排出紙がいっぱいになったことが報知されるプリンタの排出紙受け装置を提供する。【解決手段】載置台４３上に排出紙Ｐが載り、積み上がっていき所定の高さになると発光部５７から照射されている光を遮る。これにより、受光部５９へ光が到達しない状態になると、この検出結果が制御手段へ伝達されて、モータ２３の出力軸２５を所定のステップ数だけ正転させられ、載置台４３が所定距離下降して停止する。この載置台４３の下降距離は、載置台４３に積み上がった排出紙Ｐの厚さ寸法Ｔと同じである。従って、プリンタ４４の排出口から載置台４３に載っている排出紙Ｐの最上面までの距離は、初期状態における排出口から載置台４３の上面までの距離Ｈと同じである。【選択図】　　　図５
0003097649.tif 000002
【実用新案登録請求の範囲】
【請求項１】
プリンタからの排出紙が載る載置台と、前記載置台を上昇、下降させる駆動手段と、前記載置台上の排出紙が所定の高さまで積み上がったことを検知する排出紙検知手段と、前記検知手段により載置台上に排出紙が所定の高さまで積み上がったことが検知されると前記駆動手段によって載置台を所定距離下降させる制御手段とを具備することを特徴とするプリンタの排出紙受け装置。
【請求項２】
請求項１に記載したプリンタの排出紙受け装置において、載置台が最下位置まで下降したことを報知する報知手段を具備したことを特徴とするプリンタの排出紙受け装置。
【請求項３】
請求項１または２において、載置台の上面は排出紙が排出される方向へ下がる傾斜面となっていることを特徴とするプリンタの排出紙受け装置。
【請求項４】
請求項１から３のいずれかにおいて、載置台は上面が開口する本体ケースに収容され、前記載置台には側縁に開口を有する切り欠きが形成され、前記本体ケースの側板には当該側板の上端縁に開口を有し、上下方向に延びる切り欠きが形成されており、前記載置台の切り欠きの開口は前記側板の切り欠きに対向していることを特徴とするプリンタの排出紙受け装置。
【考案の詳細な説明】
【０００１】
【考案の属する技術分野】
本考案は、プリンタによって印字等されて排出される排出紙を受けるためのプリンタの排出紙受け装置に関するものである。
【０００２】
【従来の技術】
プリンタの使用法として、外部から送信されてきたデータを、人がプリンタの傍にいない状態で自動的にプリントアウトし、このプリントアウトされた排出紙をトレー等に載置しておく場合がある。
プリンタの排出紙の排出口とトレーとの間の落差が大きいと、落下中に姿勢が変わって排出紙が反転したり、順番が逆になったり、場合によっては排出紙が散乱してしまうおそれがあるので、上記のように人がプリンタの傍にいない場合には、かなりの枚数の排出紙が反転等したり、散乱したまま放置されることもある。
特許文献１に記載されているプリンタでは、排出紙ホルダを備えて排出紙が散乱するのを防止している。
【０００３】
【特許文献１】
特開平９−２２０８４２
【０００４】
【考案が解決しようとする課題】
しかしながら、上記特許文献１に係るプリンタは、カセット式のホルダに排出紙を収容するものであり、その収容枚数をそれ程多くできない問題がある。
また、知らないうちにトレーが排出紙でいっぱいになってしまうおそれもある。
【０００５】
本考案は上記した問題点に鑑みて為されたものであり、排出紙が反転したり、順番が逆になったり、排出紙が散乱することがなく、且つ大量の排出紙を収容できて、しかも排出紙がいっぱいになったことが報知されるプリンタの排出紙受け装置を提供することを目的とする。
【０００６】
【課題を解決するための手段】
この目的を達成するために、請求項１の考案に係るプリンタの排出紙受け装置は、プリンタからの排出紙が載る載置台と、前記載置台を上昇、下降させる駆動手段と、前記載置台上の排出紙が所定の高さまで積み上がったことを検知する検知手段と、前記検知手段により載置台上に排出紙が所定の高さまで積み上がったことが検知されると前記駆動手段によって載置台を所定距離下降させる制御手段とを具備することを特徴とするものである。
【０００７】
請求項２の考案に係るプリンタの排出紙受け装置は、請求項１に記載したプリンタの排出紙受け装置において、載置台が最下位置まで下降したことを報知する報知手段を具備したことを特徴とするものである。
【０００８】
請求項３の考案に係るプリンタの排出紙受け装置は、請求項１または２において、載置台の上面は排出紙が排出される方向へ下がる傾斜面となっていることを特徴とするものである。
【０００９】
請求項４の考案に係るプリンタの排出紙受け装置は、請求項１から３のいずれかにおいて、載置台は上面が開口する本体ケースに収容され、前記載置台には側縁に開口を有する切り欠きが形成され、前記本体ケースの側板には当該側板の上端縁に開口を有し、上下方向に延びる切り欠きが形成されており、前記載置台の切り欠きの開口は前記側板の切り欠きに対向していることを特徴とするものである。
【００１０】
【考案の実施の形態】
以下に、本考案の実施の形態に係るプリンタの排出紙受け装置１ついて説明する。
符号３は本体ケースを示し、この本体ケース３は上面が開口する箱状に形成されている。本体ケース３の側板５には上下方向に延びる切り欠き７が形成されており、この切り欠き７は上端縁に開口７ａを有している。
【００１１】
図４、図５に示すように、本体ケース３内には垂直仕切り板９が側板５に固定されて設けられており、この垂直仕切り板９は本体ケース３内を縦方向に仕切っている。垂直仕切り板９の下端部は図４において左側に向かって水平に曲げられており、この水平に曲げられた下端部に水平仕切り板１１が取り付けられている。図４において、本体ケース３内の垂直仕切り板９を境に左側で且つ水平仕切り板１１より上側の空間が載置台収容空間１５となり、また垂直仕切り板９を境に右側の空間が支持部材収容空間１７となり、さらに水平仕切り板１１より下側の空間がモータ収容空間１９となる。垂直仕切り板９には、上下方向へ長く延びる一対の矩形穴２１が形成されている。
垂直仕切り板９には支持板１０が固定されている。この支持板１０は途中部分が直角に曲げられて、この部分が支持部材収容空間１７へ張り出している。
【００１２】
モータ収容空間１９にはモータ２３が収容されており、このモータ２３は出力軸２５が上を向く姿勢に備えられている。出力軸２５は水平仕切り板１１の開口２７から突出しており、この突出部分にピニオン２９が固定されている。
支持部材収容空間１７には、ネジシャフト３１が備えられている。このネジシャフト３１の下端は水平仕切り板１１に、上端は支持板１０に回転自在に支持されている。またネジシャフト３１の下端部にはギア３３が固定されている。ギア３３は垂直仕切り板９の切り欠き１２から載置台収容空間１５へ突出し、このギア３３の突出部分がモータ２３の出力軸２５に固定されたピニオン２９と噛み合っている。
さらに、支持部材収容空間１７には一対のガイドシャフト３５がネジシャフト３１を挟んで備えられ、ガイドシャフト３５の下端は水平仕切り板１１に、上端は支持板１０に固定され支持されている。
【００１３】
ネジシャフト３１には雌ネジ部材３２が嵌め合わされている。また一対のガイドシャフト３５にはスライダー３７が摺動自在にそれぞれ嵌められている。　雌ネジ部材３２とスライダー３７は昇降板３９に固定されている。昇降板３９の両端部には支持アーム４５が設けられている。支持アーム４５の先端部は水平仕切り板９の矩形穴２１を通って載置台収容空間１５へ張り出しており、この張り出した部分が上方へ直角に曲げられている。
符号４３は載置台を示し、この載置台４３は載置台収容空間１５に収容されており、昇降板３９に形成された一対の支持アーム４５の先端部に支持されている。従って、載置台４３は昇降板３９及びスライダー３７を介してガイドシャフト３５に昇降動作自在に支持されている。
駆動手段は、モータ２３、ピニオン２９、ネジシャフト３１、ギア３３、雌ネジ部材３２によって構成されている。
【００１４】
載置台４３の上板４６は、後述するプリンタ４４から排出紙Ｐが排出される方向へ下がる傾斜面となっている。上板４６には、その側縁に開口４８ａを有する切り欠き４８が形成されている。この載置台の上板４６に形成された切り欠き４８の開口４８ａは、本体ケース３の側板５の切り欠き７に対向している。また載置台４３の底側の一方の角には、アール部５１が形成されている。
また、垂直仕切り板９の載置台収容空間１５側の面にはリミットスイッチ５３が取り付けられており、このリミットスイッチ５３の弾性片５５は上記アール部５１に対向している。
【００１５】
本体ケース３の互いに対向する内側面には、検知手段としての発光部５７と、この発光部５７からの光を検知する受光部５９が取り付けられている。発光部５７と受光部５９は本体ケース３の上面開口４付近に配置されている。
本体ケース３の前面下部には、電源スイッチ６０が設けられている。また、本体ケース３内には制御手段が設けられ、この制御手段にはモータ２３、受光部５９、リミットスイッチ５３及び本体ケース３に備えられた図示しない報知手段としてのブザーが接続されている。
【００１６】
プリンタ４４は、ロール状に巻かれた用紙Ｙが備えられ、この用紙Ｙに印字等がされて、図示しないカッターによって所定ピッチで切断される。そして、排出口６７から排出紙Ｐが排出される。また、プリンタ４４は図示しないパーソナルコンピュータが接続されており、通信回線を通じて送られてきたデータがパーソナルコンピュータに取り込まれて、このデータがプリンタ４４によってプリントアウトされる。
プリンタの排出紙受け装置１はプリンタ４４の排出口６７の前側に配置され、本体ケース３の上面開口４が排出口６７の前方の下側に位置している。また、プリンタの排出紙受け装置１は、載置台４３の上板４６が排出紙Ｐの排出される方向へ下がる傾斜面となるように設置される。
【００１７】
次に、プリンタの排出紙受け装置１の動作について説明する。
プリンタの排出紙受け装置１の電源スイッチを入れると、発光部５７から光が照射され、この光を受光部５９が受ける。
図５に示す初期状態において、載置台４３は最も上昇した位置となっている。プリンタ４４の排出口６７から載置台４３の上面までの距離Ｈは、排出口６７から排出された排出紙Ｐが載置台４３まで落下しても、反転等することがない距離に設定されている。
そして、プリンタ４４の排出口６７から排出紙Ｐが排出されると、載置台４３の上板４６が排出紙Ｐの排出される方向へ下がる傾斜面となっているので、排出紙Ｐは傾斜に沿って滑り、その先端部が本体ケース３の内側面に突き当たって載置台４３の上板４６に載っていく。距離Ｈは排出口６７から排出された排出紙Ｐが載置台４３まで落下しても、反転等することがない距離なので、排出紙Ｐが落下中に反転したり、順番が逆になったりすることはなく、載置台４３に確実に載る。
【００１８】
図６に示すように、載置台４３上に排出紙Ｐが載り、積み上がっていき所定の高さになると発光部５７から照射されている光を遮る。これにより、受光部５９へ光が到達しない状態になると、この検出結果が制御手段へ伝達されて、モータ２３の出力軸２５を所定のステップ数だけ正転させられる。モータ２３の出力軸２５が正転すると、モータ２３の駆動力がピニオン２９からギヤ３３を介してネジシャフト３１に伝達される。ネジシャフト３１が回転すると雌ネジ部材３２が下降し、これにより昇降板３９と共に載置台４３が所定距離下降して停止する。この載置台４３の下降距離は、初期状態の載置台４３に積み上がった排出紙Ｐの厚さ寸法Ｔと同じである。従って、プリンタ４４の排出口６７から載置台４３に載っている排出紙Ｐの最上面までの距離は、初期状態における排出口６７から載置台４３の上面までの距離Ｈと同じである。
【００１９】
上記のように載置台４３が所定距離下降すると、発光部５７から照射された光を受光部５９が検出する状態となる。そして、プリンタ４４の排出口６７から排出紙Ｐが排出されて載置台４３に載る。上記のようにプリンタ４４の排出口６７から載置台４３に載っている排出紙Ｐの最上面までの距離と、初期状態における排出口６７から載置台４３の上面までの距離Ｈとが同じなので、排出紙Ｐは落下中に反転することはない。
【００２０】
そして、再度、載置台４３に排出紙Ｐが積み上がっていく。この排出紙Ｐにより発光部５７からの光が遮られると、載置台４３が寸法Ｔだけ下降する。従って、プリンタ４４の排出口６７と載置台４３に積み上がった排出紙Ｐの最上面との距離には、初期状態における排出口６７から載置台４３の上面までの距離Ｈと同じであり、この上に排出紙Ｐが更に載っても、距離Ｈは小さくなるだけで、大きくなることはない。よって、排出紙Ｐが落下中に反転等することはない。
【００２１】
このようにして、載置台４３に排出紙Ｐが積み上がっていき、これに伴って段階的に載置台４３が下降していく。図７に示すように、載置台４３が最下位置にくると、アール部５１によってリミットスイッチ５３の弾性片５５が押圧されて、リミットスイッチ５３が入る。これによりモータ２３が停止させられ、また図示しないブザーが鳴り、載置台４３が排出紙Ｐでいっぱいになったことが報知される。
このように、プリンタの排出紙受け装置１では、載置台４３が順次下降するので、上述したように排出紙Ｐが反転等することがなく、しかも大量の排出紙Ｐを収容することができる。
載置台４３上の排出紙Ｐは、本体ケース３の切り欠き７から手を入れて、排出紙Ｐを適当量、掴んで持ち上げて上面開口４から取り出す。このようにして排出紙Ｐを取り出した後、上昇ボタンを押して、載置台４３を最上位まで上昇させて、次の排出紙Ｐの排出に備える。
【００２２】
以上、本考案の実施の形態について詳述してきたが、具体的構成は、この実施の形態に限られるものではなく、本考案の要旨を逸脱しない範囲における設計の変更などがあっても考案に含まれる。
例えば、駆動手段は、モータ２３、ネジシャフト３１等によって構成したが、本考案はこれに限定されず、載置台４３を昇降させることができるものであれば、如何なるものでもよく、駆動手段として油圧シリンダ等を採用してもよい。
また、プリンタの排出紙受け装置１は排出紙Ｐが長手方向へ排出されてくるプリンタ４４に用いるものであるが、排出紙が幅方向へ排出されるプリンタに対しても、本考案のプリンタの排出紙受け装置を適用できることは勿論である。さらに、ロール状の用紙Ｙをカッターによって切断して排出するプリンタだけでなく、最初から単葉の用紙を用いるプリンタからの排出紙を受けるのに用いてもよい。
【００２３】
【考案の効果】
以上のように、本考案によれば、排出紙が反転したり、順番が逆になったり、排出紙が散乱することがなく、且つ大量の排出紙を収容することができる。また、載置台が排出紙でいっぱいになったことが報知される。
【図面の簡単な説明】
【図１】本考案の実施の形態に係るプリンタの排出紙受け装置とプリンタの斜視図である。
【図２】本考案の実施の形態に係るプリンタの排出紙受け装置の本体ケースの側板の１枚を除去した状態の斜視図である。
【図３】本考案の実施の形態に係るプリンタの排出紙受け装置の本体ケースの側板の１枚を除去した状態の側面図である。
【図４】本考案の実施の形態に係るプリンタの排出紙受け装置の本体ケースの前板の一部を除去した状態の側面図である。
【図５】本考案の実施の形態に係るプリンタの排出紙受け装置の動作を説明するたの図である。
【図６】本考案の実施の形態に係るプリンタの排出紙受け装置の動作を説明するたの図である。
【図７】本考案の実施の形態に係るプリンタの排出紙受け装置の動作を説明するたの図である。
【符号の説明】
１　　プリンタの排出紙受け装置
３　　本体ケース
４　　上面開口
７　　本体ケース側板の切り欠き
７ａ　開口
２３　モータ
２５　出力軸
２９　ピニオン
３１　ネジシャフト
３２　雌ネジ部材
３３　ギア
４３　載置台
４８　載置台上面の切り欠き
Ｐ　　排出紙
【図１】
0003097649.tif 000003
【図２】
0003097649.tif 000004
【図３】
0003097649.tif 000005
【図４】
0003097649.tif 000006
【図５】
0003097649.tif 000007
【図６】
0003097649.tif 000008
【図７】
0003097649.tif 000009